(57)【要約】      （修正有）【課題】高音質を維持しつつ、高い意匠性を実現できるスピーカシステムを提供する。【解決手段】スピーカシステム１０は、第１スピーカ１と、第１スピーカ１の前方に設けられ第１スピーカ１と異なる音域の音を出力する第２スピーカ２と、第２スピーカ２の前面に設けられるパネル４と、を備えている。パネル４は、第２スピーカ２の振動板の外周に沿って設けられる周辺部を有している。周辺部には、第１及び第２スピーカ１、２の音出力方向に貫通する貫通孔が外周方向に沿って少なくとも１つ形成されている。【選択図】図１
2015080137.tif 000002
【特許請求の範囲】
【請求項１】
第１スピーカと、該第１スピーカの前方に設けられ該第１スピーカと異なる音域の音を出力する第２スピーカと、第２スピーカの前面に設けられるパネルと、を備え、
前記パネルは、前記第２スピーカの振動板の外周に沿って設けられる周辺部を有しており、該周辺部には、前記第１及び第２スピーカの音出力方向に貫通する貫通孔が外周方向に沿って少なくとも１つ形成されている、ことを特徴とするスピーカシステム。
【請求項２】
前記貫通孔の外側には、前記第１及び第２スピーカの音出力方向に延在し、前記第１スピーカから出力される音と前記第２スピーカから出力される音とを隔離する隔離壁が設けられている、請求項１に記載のスピーカシステム。
【請求項３】
前記貫通孔は、前記第１及び第２スピーカの音出力方向に末広がりに形成されている、請求項１又は２に記載のスピーカシステム。
【請求項４】
前記パネルの貫通孔は、前記第１スピーカの振動板とボイスコイルとが接続されるネック部と対向する位置に形成されている、請求項１乃至３のうちいずれか１項に記載のスピーカシステム。
【請求項５】
前記第１スピーカから出力される音の位相と第２スピーカから出力される音の位相は、逆相となっている、請求項２に記載のスピーカシステム。
【請求項６】
前記各貫通孔の両端側の穴形状は同一となっている、請求項１又は２に記載のスピーカシステム。
【発明の詳細な説明】
【技術分野】
【０００１】
本発明は、音を出力するスピーカシステムに関するものである。
【背景技術】
【０００２】
近年、複数のスピーカを同軸状に設け、低音域から高音域までの音を緻密に再現できるスピーカシステムが開発されている。例えば、第１スピーカと、第１スピーカの前方に設けられ第１スピーカよりも高音域の音を出力する第２スピーカと、第２スピーカの前面に設けられるパネルと、を備えるスピーカシステムが知られている（特許文献１参照）。
【先行技術文献】
【特許文献】
【０００３】
【特許文献１】特開２００８−１３６１６５号公報
【発明の概要】
【発明が解決しようとする課題】
【０００４】
しかしながら、上記特許文献１に示すスピーカシステムにおいて、パネルは、第２スピーカの振動板の外周に沿って設けられ、第１スピーカの前方側に位置している。このため、第１スピーカから出力される音が、パネルにより阻害され音質が低下するという問題が生じている。なお、上記阻害無いようにパネルを小さくすることも考えられるが、この場合、パネルによる意匠性の低下を招く虞がある。
【０００５】
本発明は、このような問題点を解決するためになされたものであり、高音質を維持しつつ、高い意匠性を実現できるスピーカシステムを提供することを主たる目的とする。
【課題を解決するための手段】
【０００６】
そこで本発明は、第１スピーカと、該第１スピーカの前方に設けられ該第１スピーカと異なる音域の音を出力する第２スピーカと、第２スピーカの前面に設けられるパネルと、を備え、前記パネルは、前記第２スピーカの振動板の外周に沿って設けられる周辺部を有しており、該周辺部には、前記第１及び第２スピーカの音出力方向に貫通する貫通孔が外周方向に沿って少なくとも１つ形成されている、ことを特徴とするスピーカシステムを提供する。
【発明の効果】
【０００７】
本発明によれば、高音質を維持しつつ、高い意匠性を実現できるスピーカシステムを提供することができる。
【図面の簡単な説明】
【０００８】
【図１】本発明の一実施の形態に係るスピーカシステムの概略的構成を示す斜視図である。
【図２】本発明の一実施の形態に係るパネルの概略的な構成を示す斜視図である。
【図３】図２に示すパネルを上方から見た上面図である。
【図４】第１スピーカの振動板とボイスコイルとが接続されるネック部を示す図である。
【図５】周辺部に貫通孔が等間隔に９つ設けられたパネルの上面図である。
【図６】図５に示すパネルを直線Ａ−Ａで切断した際の断面図である。
【図７】図６に示すＢ部分を部分的に拡大した部分拡大断面図である。
【図８】本発明の一実施の形態に係る各貫通孔をパネルに形成したときの周波数特性図である。
【図９】第１及び第２スピーカの音出力方向に末広がりに形成された貫通孔を示す図である。
【発明を実施するための形態】
【０００９】
以下、図面を参照して本発明の実施の形態について説明する。図１は、本発明の一実施の形態に係るスピーカシステムの概略的構成を示す斜視図である。本実施の形態に係るスピーカシステム１０は、主として低音域の音を出力する第１スピーカ１と、主として中音域から高音域の音を出力する第２スピーカ２と、第２スピーカ２の高音域よりもさらに高い超高音域（例えば、１０〜２００ｋＨｚ程度）の音を出力する第３スピーカ３と、第２スピーカ２の前面に設けられるパネル４と、を備えている。
【００１０】
第１スピーカ１は、所謂ウーファー（ＷＦ：Woofer）であり、振動板、ボイスコイルなどから構成されるスピーカユニットである。第２スピーカ２は、所謂トゥーイーター（ＴＷ：Tweeter）であり、第１スピーカ１と同様に、振動板、ボイスコイルなどから構成されるスピーカユニットである。第２スピーカ２は、第１スピーカ１の前方且つ第１スピーカ１の振動板の投影面に重なった位置に設けられている。第３スピーカ３は、所謂スーパートゥーイーター（Ｓ‐ＴＷ：Supertweeter）であり、第２スピーカ２と同様に、振動板、ボイスコイルなどから構成されるスピーカユニットである。第３スピーカ３は、第１スピーカ１の前方に第２スピーカ２と並んで設けられている。なお、本実施の形態に係るスピーカシステム１０は、第３スピーカ３を備える構成であるが、これに限らず、例えば、第３スピーカ３を備えない構成であってもよい。また、第２スピーカ２および第３スピーカ３は、第１スピーカの前方に同軸状に設けられていてもよい。さらに、第１乃至第３スピーカ１、２、３は、上記ボイスコイルの代わりに圧電素子等他の駆動方式として構成されていてもよい。
【００１１】
図２は、本実施の形態に係るパネルの概略的な構成を示す斜視図である。図３は、図２に示すパネルを上方から見た上面図である。パネル４は、例えば、略円環状に形成された部材であり、プラスチックなどの合成樹脂で形成されている。パネル４は、第２スピーカ２の振動板の外周に沿って設けられている。パネル４は、第１スピーカ１の中心付近に設けられた第２スピーカ２の外周を覆うことで、その造形美により本スピーカシステム１０の高い意匠性を実現している。具体例としては、パネル４が第２スピーカ２の外周を覆うことで、第１スピーカを含む全体としての見た目のまとまりや、第２スピーカ２の口径を大きく見せる等の効果がある。
【００１２】
パネル４は、第２スピーカ２の振動板の外周に沿って形成された周辺部４１と、周辺部４１から外側に突出し第３スピーカ３が設けられる第１突出部４２と、第１突出部４２に対向する位置で周辺部４１から外側に突出する第２突出部４３と、円環状の開口部４４を渡るように延在する渡り部４５と、を有している。
【００１３】
パネル４には第２スピーカ２を保護する目的で渡り部４５が設けられているが、第２スピーカ２の音質をより向上させる目的でパネル４に渡り部４５を設けなくても良い。第１突出部４２には、略円形状の開口部４２１が形成されている。この開口部４２１から第３スピーカ３の振動板は露出することで、第３スピーカ３の音は開口部４２１を介して出力される。なお、開口部４２１には、第３スピーカ３を保護する目的で、その開口を渡るように延在する渡り部４２２が設けられていてもよい。
【００１４】
ここで、従来、パネルを第２スピーカの振動板の外周に沿って設けられた場合、第１スピーカから出力される音が、パネルにより阻害され音質が低下するという問題が生じている。これは、第１スピーカの振動板とボイスコイルの接続部（ネック部）が第１スピーカの最も内周側の音出力領域となる（図４）。このため、ネック部近傍の振動板から高音域（高周波数）の音が出力されることから、特に、第１スピーカの音質に大きく影響を与える。すなわち、このネック部近傍から出力される音を阻害することなく、ユーザ側に放射することが重要となる。
【００１５】
しかしながら、パネルは第２スピーカの振動板の外周に沿って設けた場合、パネルは上記第１スピーカのネック部の前方付近に位置し対向するため、上記ネック部近傍から出力される音を阻害する虞がある。一方で、上記阻害無いようにパネルを小さくすることも考えられるが、この場合、パネルによる意匠性の低下を招く虞がある。
【００１６】
これに対し、本実施の形態に係るスピーカシステム１０において、パネル４の周辺部４１には、第１及び第２スピーカ１、２の音出力方向に貫通する貫通孔４６が外周方向に沿って少なくとも１つ形成されている。これにより、第１スピーカ１のネック部近傍から出力される音は、パネル４に阻害されることなく、各貫通孔４６を通過し、ユーザに直接的に伝達される。このため、音質の低下を効果的に抑制することができる。一方で、パネル４の大きさを維持しつつ、上記音質の低下を抑制できるため、パネル４の造形美による高い意匠性も実現できる。すなわち、高音質を維持しつつ、高い意匠性を実現できる。
【００１７】
なお、パネル４を大きく維持できることからスピーカシステム１０の高い商品性を発揮できるという副次的効果も期待できる。すなわち、パネル４を大きく維持することで、第２スピーカ２をユーザに対して意識的に大きく認識させることができる。これにより、第２スピーカ２からより大きな音が出力するように（高出力と）認識され、スピーカとしての商品性をより高めることができる。
【００１８】
貫通孔４６は、周辺部４１の周方向に沿って、例えば、４つ対称となる位置に夫々形成されている。パネル４が、第２スピーカ２の振動板の外周に沿って設けられた状態で、パネル４の各貫通孔４６は、第２スピーカ２のネック部付近と対向している。したがって、第１スピーカ１のネック部付近から出力される高音域の音は、パネル４に阻害されることなく、各貫通孔４６を通過し、ユーザに伝達される。なお、図２及び図３に示す貫通孔４６は一例であり、これに限らず、周辺部４１に形成される貫通孔４６の数、位置、大きさは、任意に設定できる。
【００１９】
図５は、周辺部に貫通孔が等間隔に９つ設けられたパネルの上面図である。図６は、図  ５に示すパネルを直線Ａ−Ａで切断した際の断面図である。図７は、図６に示すＢ部分を部分的に拡大した部分拡大断面図である。
【００２０】
図７に示すように、貫通孔４６の外側には、第１及び第２スピーカ１、２の音出力方向に延在する隔離壁４６１が形成されている。この隔離壁４６１は、第１及び第２スピーカ１、２から出力される音を隔離することで、第１スピーカ１から出力された音が第２スピーカ２側に回り込むのを防止する。例えば、第１スピーカ１から出力された音が第２スピーカ２側に回り込み、第１及び第２スピーカ１、２の音が逆相となっている場合、第２スピーカ２の音が第１スピーカ１の音により低減され、音質の低下を招く虞がある。本実施の形態において、隔離壁４６１を設けることで、このような音質の低下を抑制することができる。
【００２１】
隔離壁４６１の厚さＷは、例えば、２．０〜２．５ｍｍ程度に設定されているが、これに限らず、例えば、３．０ｍｍ程度に設定されてもよく、上述した音の回り込みが抑制できれば任意に設定可能である。
【００２２】
例えば、図３において、各貫通孔４６の角度Ｘ１（°）は、渡り部４５を通る中心線と、各貫通孔４６を通る径方向の中心線が成す角度である。各貫通孔４６の横幅Ｘ２（°）は、各貫通孔４６を通る径方向の中心線と各貫通孔４６の端部を通る径方向の中心線とが成す角度である。各貫通孔４６の径中心Ｘ３（ｍｍ）は、円環形状のパネルの中心から各貫通孔４６の径方向の中心位置までの距離である。各貫通孔４６の径幅Ｘ４（ｍｍ）は、径方向の幅である。なお、本実施の形態において、各貫通孔４６の形状は同一となっているが、これに限らず、各貫通孔４６の形状が異なっていてもよい。
【００２３】
本実施の形態において、パネル４の各貫通孔４６の横幅Ｘ２、径中心Ｘ３、及び径幅Ｘ４を最適に設定することで、各貫通孔４６を通過する音の周波数をコントロールすることができる。
【００２４】
図８は、本実施の形態に係る各貫通孔をパネルに形成したときの周波数特性図であり、縦軸は音圧レベルを示している。図８に示すように、５ｋＨｚ近傍でＤＩＰ値が最小となり共振が生じている。したがって、この５ｋＨｚ近傍でパネル４の各貫通孔４６による高音質効果が最大となることが分かる。
【００２５】
以上、本実施の形態において、パネル４の周辺部４１には、第１及び第２スピーカ１、２の音出力方向に貫通する貫通孔４６が外周方向に沿って複数形成されている。これにより、スピーカシステム１０の高音質を維持しつつ、高い意匠性を実現できる。
また、貫通孔４６の外側には、第１及び第２スピーカ１、２の音出力方向に延在し、第１スピーカ１から出力される音と第２スピーカ２から出力される音とを隔離する隔離壁４６１が設けられている。これにより、第１スピーカ１から出力された音が第２スピーカ２側に回り込むことで生じる音質の低下を抑制することができる。
【００２６】
なお、本発明は上記実施の形態に限られたものではなく、趣旨を逸脱しない範囲で適宜変更することが可能である。例えば、上記実施の形態において、各貫通孔４６の上側の穴の形状と下側の穴の形状は同一となっているが、これに限らず、各貫通孔４６の上側の穴の径が下側の穴の径よりも大きく形成されていてもよい。例えば、図９に示す如く、各貫通孔４６は、第１及び第２スピーカ１、２の音出力方向に末広がりに形成されていてもよい。これにより、上記貫通孔４６による高音質効果がより良好となる。
【符号の説明】
【００２７】
１    第１スピーカ
２    第２スピーカ
３    第３スピーカ
４    パネル
１０    スピーカシステム
４１    周辺部
４２    第１突出部
４３    第２突出部
４４    開口部
４５    渡り部
４６    貫通孔
【図１】
2015080137.tif 000003
【図２】
2015080137.tif 000004
【図３】
2015080137.tif 000005
【図４】
2015080137.tif 000006
【図５】
2015080137.tif 000007
【図６】
2015080137.tif 000008
【図７】
2015080137.tif 000009
【図８】
2015080137.tif 000010
【図９】
2015080137.tif 000011